(57)【要約】【課題】電子機器装置において、頑丈なヒンジ結合構造を低価格で実現する。【解決手段】電子機器装置である光ディスク再生装置１は、表示ユニット３がヒンジユニット４を介して本体ユニット２に取付けられている。本体ユニット２は、制御基板２１を収納する本体ケース２３と、ヒンジユニット４の本体側結合部４２が結合されるヒンジ結合部２５とを有し、本体ケース２３は、下ケース２３ａと上ケース２３ｂとを有する。ヒンジ結合部２５は、本体ケース２３の一部によって構成されており、上ケース２３ｂの一部によって構成された上結合部６０と、下ケース２３ａの一部によって構成された下結合部７０とを有する。下結合部７０は、上結合部６０の下に重ね合わされている。ヒンジユニット４の本体側結合部４２は、上結合部６０に搭載され、ヒンジ取付ネジ４９により、上結合部６０と下結合部７０の両方に締結されて、ヒンジ結合部２５に結合されている。【選択図】図３
2011221823.tif 000002
【特許請求の範囲】
【請求項１】
画像を表示するための表示ユニットがヒンジユニットを介して本体ユニットに取付けられた電子機器装置において、
前記ヒンジユニットは、前記表示ユニットに結合される表示側結合部と、前記本体ユニットに結合される本体側結合部と、前記表示側結合部と前記本体側結合部とを回動可能に連結したヒンジ機構部とを有し、
前記本体ユニットは、制御基板と、前記制御基板を収納する本体ケースと、前記ヒンジユニットの本体側結合部が結合されるヒンジ結合部とを有し、
前記本体ケースは、該本体ケースの下側部分を占める下ケースと、該本体ケースの上側部分を占める、前記下ケースに結合される上ケースとを有し、
前記ヒンジ結合部は、
前記本体ケースの一部によって構成されており、
前記上ケースの一部によって構成された、前記ヒンジユニットの本体側結合部が搭載される上結合部と、
前記下ケースの一部によって構成された、前記上結合部に重ね合わされる下結合部とを有し、
前記ヒンジユニットの本体側結合部は、ヒンジ取付ネジにより、前記上結合部と下結合部の両方に締結されて、前記ヒンジ結合部に結合されている、
ことを特徴とする電子機器装置。
【請求項２】
前記本体ユニットには、前記ヒンジユニットの本体側結合部が収納されるヒンジ収納部が形成されており、
前記ヒンジ収納部は、前記本体ケースにおける周囲の部分より内側に窪んでいると共に、前記ヒンジユニットの本体側結合部を前記本体ケースの外側から収納し得るように、前記本体ケースの外側に向けて開口しており、
前記ヒンジ結合部は、前記ヒンジ収納部内に設けられており、
前記ヒンジユニットの本体側結合部は、前記ヒンジ収納部内に収納された状態で、前記ヒンジ結合部に結合されている、
ことを特徴とする請求項１に記載の電子機器装置。
【請求項３】
前記表示ユニットと前記本体ユニットとを電気的に接続する電気配線をさらに備え、
前記上結合部は、前記下結合部の上に位置する底台部と、前記底台部から突出し、前記ヒンジユニットの本体側結合部を支える支柱部とを有し、
前記電気配線は、前記ヒンジユニットの内部、及び前記底台部と前記支柱部の先端部との間に通されて、前記制御基板に接続されている、
ことを特徴とする請求項１に記載の電子機器装置。
【請求項４】
前記本体ユニットは、光ディスクから記録データを読取る光ディスク読取ユニットをさらに備え、
前記本体ケースは、前記制御基板と共に、前記光ディスク読取ユニットを収納し、
前記表示ユニットは、前記光ディスク読取ユニットにより光ディスクから読取った記録データに基く画像を表示する、
ことを特徴とする請求項１に記載の電子機器装置。
【発明の詳細な説明】
【技術分野】
【０００１】
本発明は、画像を表示する機能を備える電子機器装置に関するものである。
【背景技術】
【０００２】
従来から、画像を表示する機能を備える電子機器装置において、画像を表示するための表示ユニットがヒンジユニットを介して本体ユニットに取付けられ、表示ユニットが本体ユニットに対して回動可能になっているものがある（例えば特許文献１及び特許文献２参照）。このような電子機器装置では、一般的に、本体ユニットは、本体ケース内に制御基板を収納しており、本体ケースは、相互に結合される上ケースと下ケースとにより構成されている。そして、ヒンジユニットは、本体ユニットとの結合において、本体ケースの一部（上ケースの一部、又は下ケースの一部）により構成されるヒンジ結合部に、ネジ止め等によって結合するようになっている。
【０００３】
このような電子機器装置としては、ヒンジユニットと本体ケースとの結合において、ヒンジユニットを、本体ケースの下ケースの一部により構成されるヒンジ結合部に、ネジ止め等によって結合するようにしたものが知られている（例えば特許文献１参照）。また、このような電子機器装置として、ヒンジユニットと表示ユニットとの結合において、ヒンジユニットを、表示ユニットのケースに結合するようにしたものが知られている（例えば特許文献２参照）。一方、携帯型ＣＤ再生装置において、蓋部のヒンジが結合される付近を、比較的軽量な第１の素材で形成される部分と、この第１の素材に比べて強度と加工性に勝る第２の素材で形成されるヒンジ補強部との２層構造にしたものが知られている（例えば特許文献３参照）。
【先行技術文献】
【特許文献】
【０００４】
【特許文献１】特開２００５−１６５４７８号公報
【特許文献２】特開２００４−３２６０８６号公報
【特許文献３】特開２００２−１１７６６４号公報
【発明の概要】
【発明が解決しようとする課題】
【０００５】
ところで、上述した従来の電子機器装置において、ヒンジ結合部には、ヒンジユニットが結合され、ヒンジユニットを介して表示ユニットが連結されるため、大きな荷重がかかる。従って、ヒンジ結合部は、大きな荷重に耐えるための頑丈な構造が必要である。
【０００６】
一方、ヒンジユニットは、一般的に、多種、多様な装置に取付け可能にするために（汎用性を持たせるために）、本体ユニットに（本体ケースのヒンジ結合部に）結合するための本体側結合部が小さく形成されている。また、本体ケースは、一般的に、樹脂成形により形成されるため、その厚みを一定以上厚くすることが困難であり、本体ケースの一部（上ケースの一部、又は下ケースの一部）により構成されるヒンジ結合部は、厚みが薄く形成されている。このため、単に、ヒンジユニットの本体側結合部を本体ケースのヒンジ結合部に結合したのでは、ヒンジ結合部における荷重を受ける部分が狭い範囲に集中すると共に、ヒンジ結合部の厚みが薄いため、ヒンジ結合部が、大きな荷重に耐えることができずに、破損する虞がある。
【０００７】
そこで、従来の電子機器装置において、ヒンジユニットの本体側結合部よりも面積の大きい金属製の板を補強部材として用い、この金属製の板をヒンジユニットの本体側結合部と本体ケースのヒンジ結合部との間に介在させて、ヒンジユニットの本体側結合部を本体ケースのヒンジ結合部に結合することが考えられる。このような構成にすれば、ヒンジ結合部における荷重を受ける部分を広い範囲に分散させることができ、ヒンジ結合部は、大きな荷重に耐えることができる。しかしながら、このような構成では、別途、金属製の板が必要であるため、高価格になる。なお、上述した特許文献１乃至特許文献３に開示の内容を適用したとしても、上記の問題を解決することはできない。
【０００８】
本発明は、上記課題を解決するためになされたものであり、頑丈なヒンジ結合構造を低価格で実現することができる電子機器装置を提供することを目的とする。
【課題を解決するための手段】
【０００９】
上記目的を達成するために請求項１の発明は、画像を表示するための表示ユニットがヒンジユニットを介して本体ユニットに取付けられた電子機器装置において、ヒンジユニットは、表示ユニットに結合される表示側結合部と、本体ユニットに結合される本体側結合部と、表示側結合部と本体側結合部とを回動可能に連結したヒンジ機構部とを有し、本体ユニットは、制御基板と、制御基板を収納する本体ケースと、ヒンジユニットの本体側結合部が結合されるヒンジ結合部とを有し、本体ケースは、該本体ケースの下側部分を占める下ケースと、該本体ケースの上側部分を占める、下ケースに結合される上ケースとを有し、ヒンジ結合部は、本体ケースの一部によって構成されており、上ケースの一部によって構成された、ヒンジユニットの本体側結合部が搭載される上結合部と、下ケースの一部によって構成された、上結合部に重ね合わされる下結合部とを有し、ヒンジユニットの本体側結合部は、ヒンジ取付ネジにより、上結合部と下結合部の両方に締結されて、ヒンジ結合部に結合されているものである。
【００１０】
請求項２の発明は、請求項１に記載の電子機器装置において、本体ユニットには、ヒンジユニットの本体側結合部が収納されるヒンジ収納部が形成されており、ヒンジ収納部は、本体ケースにおける周囲の部分より内側に窪んでいると共に、ヒンジユニットの本体側結合部を本体ケースの外側から収納し得るように、本体ケースの外側に向けて開口しており、ヒンジ結合部は、ヒンジ収納部内に設けられており、ヒンジユニットの本体側結合部は、ヒンジ収納部内に収納された状態で、ヒンジ結合部に結合されているものである。
【００１１】
請求項３の発明は、請求項１に記載の電子機器装置において、表示ユニットと本体ユニットとを電気的に接続する電気配線をさらに備え、上結合部は、下結合部の上に位置する底台部と、底台部から突出し、ヒンジユニットの本体側結合部を支える支柱部とを有し、電気配線は、ヒンジユニットの内部、及び底台部と支柱部の先端部との間に通されて、制御基板に接続されているものである。
【００１２】
請求項４の発明は、請求項１に記載の電子機器装置において、本体ユニットは、光ディスクから記録データを読取る光ディスク読取ユニットをさらに備え、本体ケースは、制御基板と共に、光ディスク読取ユニットを収納し、表示ユニットは、光ディスク読取ユニットにより光ディスクから読取った記録データに基く画像を表示するものである。
【発明の効果】
【００１３】
請求項１の発明によれば、ヒンジ結合部は、上結合部（本体ケースの上ケースの一部）と下結合部（本体ケースの下ケースの一部）とが重ね合わされて、上結合部と下結合部が一体となった（すなわち、本体ケースの上ケースと下ケースとが重ね合わされた部分が一体となった）状態で、ヒンジユニットの本体側結合が結合される。従って、上結合部と下結合部が重ね合わされて一体となっていることにより、ヒンジ結合部が厚くなり、また、ヒンジユニットの本体側結合部と下結合部との間に上結合部が介在していることにより、下結合部における荷重を受ける部分が広い範囲に分散する。これにより、ヒンジ結合部は、大きな荷重に耐えることができ、頑丈なヒンジ結合構造を実現することができる。しかも、金属製の板のような補強部材を別途必要としないので、頑丈なヒンジ結合構造を低価格で実現することができる。
【００１４】
請求項２の発明によれば、本体ケースの上ケースと下ケースとを結合した状態で、ヒンジユニットの本体側結合部を本体ケースの外側からヒンジ収納部に収納してヒンジ結合部に結合することができる。従って、電子機器装置を組み立てるとき、本体ケースの上ケースと下ケースとを結合した状態で、すなわち、本体ケース内に制御基板を収納した状態で、ヒンジユニットを本体ケースに結合することができ、組み立て性を優れたものにすることができる。しかも、ヒンジ収納部は、本体ケースにおける周囲の部分より内側に窪んだ部分であり、このようなヒンジ収納部に、ヒンジユニットの本体側結合部が収納された状態となるため、電子機器装置の薄型化を保つことができる。
【００１５】
請求項３の発明によれば、電気配線を通すための空間を確保しつつ、頑丈なヒンジ結合構造を実現することができる。
【００１６】
請求項４の発明によれば、光ディスクから読取った記録データに基く画像を表示する電子機器装置において、請求項１と同様の効果が得られる。
【図面の簡単な説明】
【００１７】
【図１】（ａ）は本発明の一実施形態に係る光ディスク再生装置の概略構成を示す表示ユニットを起立姿勢に開いた状態における内蓋を閉じた状態の斜視図、（ｂ）は同表示ユニットを起立姿勢に開いた状態における内蓋を開いた状態の斜視図。
【図２】（ａ）は同光ディスク再生装置の表示ユニットを閉じた状態の斜視図、（ｂ）は同表示ユニットを倒伏姿勢に開いた状態における内蓋を閉じた状態の斜視図。
【図３】同光ディスク再生装置の分解斜視図。
【図４】同光ディスク再生装置のヒンジ結合部の構成を示す図３の一部を部分拡大した分解斜視図。
【図５】同光ディスク再生装置の断面図。
【発明を実施するための形態】
【００１８】
以下、本発明を具体化した実施形態による電子機器装置について図面を参照して説明する。図１（ａ）（ｂ）、図２（ａ）（ｂ）、図３は、本実施形態による電子機器装置である光ディスク再生装置の構成を示す。光ディスク再生装置１は、例えばＤＶＤやＢＤ等の光ディスクから画像を再生する装置である。この光ディスク再生装置１は、携帯型のものである。
【００１９】
光ディスク再生装置１は、本体ユニット２と、表示ユニット３と、ヒンジユニット４とを備えており、表示ユニット３がヒンジユニット４を介して本体ユニット２に取付けられ、表示ユニット３が本体ユニット２に対して回動可能になっている。また、光ディスク再生装置１は、表示ユニット３と本体ユニット２とを電気的に接続する電気配線５を備えている。電気配線５は、ヒンジユニット４の内部に通されて、一端側が表示ユニット３に接続され、他端側が本体ユニット２に接続されている。
【００２０】
ヒンジユニット４は、表示ユニット３に結合される表示側結合部４１と、本体ユニット２に結合される本体側結合部４２と、表示側結合部４１と本体側結合部４２とを相対的に回動可能に連結したヒンジ機構部４３等を有する。このヒンジユニット４は、２軸スイーベルヒンジと呼ばれるヒンジユニットであり、ヒンジ機構部４３は、表示側結合部４１と本体側結合部４２とを相対的に直交２軸に回動可能に連結している。
【００２１】
表示側結合部４１は、表示ユニット３の下端部の中央部に結合されており、本体側結合部４２は、本体ユニット２の後端部の中央に結合されている。これにより、表示ユニット３は、本体ユニット２に対して直交２軸に回動可能になっている。すなわち、表示ユニット３は、本体ユニット２に対して、表示ユニット３の下端部を通って表示ユニット３の下端縁と平行な第１の回動中心軸Ｃ１（図１（ａ）参照）の軸回りに回動可能になっていると共に、本体ユニット２の後端部の中央を通って本体ユニット２の上面に垂直な第２の回動中心軸Ｃ２の軸回りに回動可能になっている。このように表示ユニット３が本体ユニット２に対して直交２軸に回動可能になっていることにより、光ディスク再生装置１は、表示ユニット３を閉じた状態（表示ユニット３の正面が本体ユニット２の上面に合わさるように、表示ユニット３を本体ユニット２に対して倒伏させた状態）（図２（ａ）参照）、表示ユニット３を起立姿勢に開いた状態（表示ユニット３を本体ユニット２に対して起立させた状態）（図１（ａ）（ｂ）参照）、表示ユニットを倒伏姿勢に開いた状態（表示ユニット３の背面が本体ユニット２の上面に合わさるように、表示ユニット３を本体ユニット２に対して倒伏させた状態）（図２（ｂ）参照）、等にすることが可能になっている。
【００２２】
光ディスク再生装置１を使用するときには、例えば、表示ユニット３を起立姿勢に開いた状態又は倒伏姿勢に開いた状態にされる。また、光ディスク再生装置１を携帯して持ち運ぶときには、例えば、表示ユニット３を閉じた状態にされる。また、光ディスク再生装置１は、不図示の外部装置を接続して使用（光ディスク再生装置１により光ディスクから読取った記録データに基く画像を外部装置のディスプレイに表示）することができるようになっており、外部装置を接続して使用する場合には、例えば、表示ユニット３を閉じた状態にされる。
【００２３】
本体ユニット２は、光ディスク再生装置１の動作を制御する制御基板２１と、光ディスクから記録データを読取る光ディスク読取ユニット２２と、制御基板２１及び光ディスク読取ユニット２２を収納する本体ケース２３とを有する。また、本体ユニット２には、ヒンジ収納部２４が形成されている。また、本体ユニット２は、ヒンジ結合部２５と、収納部カバー２６と、内蓋２７等を有する。
【００２４】
本体ケース２３は、本体ケース２３の下側部分を占める下ケース２３ａと、本体ケース２３の上側部分を占める上ケース２３ｂとを有しており、下ケース２３ａと上ケース２３ｂが相互に結合されている。下ケース２３ａ及び上ケース２３ｂは、樹脂製である。
【００２５】
制御基板２１は、本体ケース２３の下面（底面）と平行に配置されている。光ディスク読取ユニット２２は、制御基板２１の上方に配置されている。光ディスク読取ユニット２２は、その一部（光ディスクを回転させるためのスピンドルモータ２２ａ、及び光ディスクから記録データを読取る光読取ヘッド２２ｂ等）が、上ケース２３ｂに設けられた読取開口２３ｃに臨んでいる。読取開口２３ｃの上に、光ディスクが装着されるようになっている。
【００２６】
ヒンジ収納部２４は、ヒンジユニット４の本体側結合部４２が収納される部分である。ヒンジ収納部２４は、本体ケース２３における周囲の部分より内側に窪んでいると共に、ヒンジユニット４の本体側結合部４２を本体ケース２３の外側から収納し得るように、本体ケース２３の外側に向けて開口している。本実施形態では、ヒンジ収納部２４は、本体ケース２３の上ケース２３ｂにおける周囲の部分より下側（下ケース２３ａ側）に窪み、本体ケース２３の上側に向けて開口している。また、ヒンジ収納部２４は、電気配線５をヒンジ収納部２４から本体ケース２３の外部を経由することなく制御基板２１に接続し得るように、制御基板２１が収納されている空間と連通している。
【００２７】
ヒンジ結合部２５は、ヒンジユニット４の本体結合部４２が結合される部分であり、ヒンジ収納部２４内の底の部分に設けられている。ヒンジ結合部２５は、本体ケース２３の一部によって構成されており、上ケース２３ｂの一部によって構成された上結合部６０と、下ケース２３ａの一部によって構成された下結合部７０とを有する。ヒンジユニット４の本体側結合部４２は、ヒンジ収納部２４内に収納された状態で、ヒンジ結合部２５にネジ止めにより結合されている。ヒンジ結合部２５の構成、及びヒンジユニット４の本体側結合部４２のヒンジ結合部２５への結合構造の詳細については後述する。
【００２８】
収納部カバー２６は、ヒンジ収納部２４の開口している部分を塞ぐものであり、本体ケース２３の上ケース２３ｂに装着されている。内蓋２７は、光ディスクが装着される領域を開閉するものであり、本体ケース２３の上ケース２３ｂに回動自在に装着されている。
【００２９】
表示ユニット３は、画像を表示するためのものであり、画像を表示する液晶パネル３１と、液晶パネル３１を収納する表示ケース３２と、ヒンジカバー３３等を有する。
【００３０】
表示ケース３２は、表示ケース３２の前側部分を占める前ケース３２ａと、表示ケース３２の後側部分を占める後ケース３２ｂとを有しており、前ケース３２ａと後ケース３２ｂが相互に結合されている。液晶パネル３１は、前ケース３２ａに設けられた表示開口３２ｃに臨んでいる。ヒンジカバー３３は、ヒンジユニット４のヒンジ機構部４３（本体ユニット２と表示ユニット３の両方から露出する部分）を覆うものであり、表示ケース３２に取付けられている。
【００３１】
表示ユニット３は、本体ユニット２の光ディスク読取ユニット２２により光ディスクから読取った記録データに基く画像を表示する。ヒンジユニット４の表示側結合部４１は、表示ケース３２の後ケース３２ｂの内面に設けられたヒンジ取付部（不図示）にネジ止めにより結合されている。
【００３２】
電気配線５は、ヒンジユニット４の内部に通されており、本体ユニット２側においては、ヒンジユニット４の本体側結合部４２の下部から引き出されて、制御基板２１に接続されており、表示ユニット３側においては、ヒンジ機構部４３の上部から引き出されて、表示ユニット３内の回路基板（不図示）に接続されている。
【００３３】
図４、図５は、上記本体ユニット２のヒンジ結合部２５の構成、及びヒンジユニット４の本体側結合部４２のヒンジ結合部２５への結合構造を示す。ヒンジ結合部２５は、上述のように、本体ケース２３の一部によって構成されており、上ケース２３ｂの一部によって構成された上結合部６０と、下ケース２３ａの一部によって構成された下結合部７０とを有する。上結合部６０は、ヒンジユニット４の本体側結合部４２が搭載される部分である。下結合部７０は、上結合部６０の下に重ね合わされる部分である。
【００３４】
上結合部６０は、下結合部７０の上に位置する底台部６１と、底台部６１から突出し、ヒンジユニット４の本体側結合部４２を支える４つの支柱部６２と、底台部６１及び支柱部６２を補強する補強用リブ６３を有する。各支柱部６２は、円柱形状をしており、各支柱部６２の先端(上端)部には、ネジ孔６４が形成されている。また、各支柱部６２は、内部が中空になっており、各支柱部６２の内部の中空部分は、底台部６１の下面に開放されている。各支柱部６２のネジ孔６４は、各支柱部６２の内部の中空部分に貫通している。
【００３５】
補強用リブ６３は、底台部６１に繋がって形成されていると共に、支柱部６２及びヒンジ収納部２４の側壁２４ａに繋がって形成されている。補強用リブ６３の上端は、支柱部６２の先端と同じ高さに形成されている。底台部６１、支柱部６２、及び補強用リブ６３（すなわち上結合部６０）は、樹脂により上ケース２３ｂと一体的に形成されており、上ケース２３ｂの一部によって構成されている。
【００３６】
下結合部７０は、上結合部６０の底台部６１の下に重ねられる重ね台部７１と、重ね台部７１から突出し、上結合部６０の支柱部６２の内部の中空部分に嵌め込まれる４つの突出部７２とを有する。各突出部７２は、円柱形状をしており、各突出部７２の先端(上端)部には、ネジ孔７３が形成されている。重ね台部７１、及び突出部７２（すなわち下結合部７０）は、樹脂により下ケース２３ａと一体的に形成されており、下ケース２３ａの一部によって構成されている。
【００３７】
本体ケース２３の下ケース２３ａと上ケース２３ｂとを結合した状態では、下結合部７０の重ね台部７１は、上結合部６０の底台部６１の下に密着して（又は、僅かな隙間をおいて）重ね合わされた状態になる。また、この状態では、下結合部７０の各突出部７２は、上結合部６０の各支柱部６２の内部の中空部分に密着して（又は、僅かな隙間をおいて）嵌め込まれた状態になり、下結合部７０の各突出部７２のネジ孔７３は、上結合部６０の各支柱部６２のネジ孔６４と連通した状態になる。
【００３８】
ヒンジユニット４の本体側結合部４２は、上結合部６０の支柱部６２の先端部に搭載されており、ヒンジ取付ネジ４９が、ヒンジユニット４の本体側結合部４２から、本体側結合部４２のネジ孔４８を通して、上結合部６０の支柱部６２のネジ孔６４と下結合部７０の突出部７２のネジ孔７３に螺合されている。すなわち、ヒンジユニット４の本体側結合部４２は、ヒンジ取付ネジ４９により、上結合部６０と下結合部７０の両方に締結されて、ヒンジ結合部２５に結合されている。
【００３９】
このようにヒンジユニット４の本体側結合部４２がヒンジ結合部２５に結合された状態では、上結合部６０の底台部６１と支柱部６２の先端部との間（すなわち上結合部６０の底台部６１とヒンジユニット４の本体側結合部４２との間）に、空間が形成される。この空間は、電気配線５を通すための空間として利用される。つまり、上結合部６０の支柱部６２（及び補強用リブ６３と下結合部７０の突出部７２）は、電気配線５を通すための空間を確保するために設けられている。
【００４０】
電気配線５は、上述のように、ヒンジユニット４の内部に通されており、本体ユニット２側においては、ヒンジユニット４の本体側結合部４２の下部から引き出されて、制御基板２１に接続されている。このヒンジユニット４の本体側結合部４２の下部から引き出されている電気配線５は、上結合部６０の底台部６１と支柱部６２の先端部との間に形成される空間を通して、制御基板２１に接続されている。すなわち、電気配線５は、ヒンジユニット４の内部、及び上結合部６０の底台部６１と支柱部６２の先端部との間に通されて、制御基板２１に接続されている。
【００４１】
次に、上記光ディスク再生装置１の組み立て方法について説明する。光ディスク再生装置１は、以下のようにして組み立てられる。
【００４２】
まず、表示ユニット３をヒンジユニット４と結合した状態に組み立てる。すなわち、表示ケース３２の前ケース３２ａと後ケース３２ｂとを分離した状態で、ヒンジユニット４の内部に電気配線５を通して、電気配線５の一端側（ヒンジユニット４のヒンジ機構部４３の上部から引き出されている側）を表示ユニット３の回路基板（不図示）に接続する。続いて、ヒンジユニット４の表示側結合部４１を後ケース３２ｂの内面に設けられたヒンジ取付部（不図示）に結合すると共に、液晶パネル３１及び回路基板を収納した状態に、前ケース３２ａと後ケース３２ｂとを結合する。
【００４３】
また、制御基板２１及び光ディスク読取ユニット２２を収納した状態に、本体ケース２３の上ケース２３ｂと下ケース２３ａとを結合する。これにより、本体ケース２３内に制御基板２１及び光ディスク読取ユニット２２が収納された状態になる。また、ヒンジ結合部２５において、下結合部７０の重ね台部７１が上結合部６０の底台部６１の下に重ね合わされた状態になると共に、下結合部７０の各突出部７２が上結合部６０の各支柱部６２の内部の中空部分に嵌め込まれた状態になり、下結合部７０の各突出部７２のネジ孔７３が上結合部６０の各支柱部６２のネジ孔６４と連通した状態になる。
【００４４】
そして、表示ユニット３に結合されたヒンジユニット４の本体側結合部４２を、ヒンジ結合部２５に結合する。すなわち、ヒンジユニット４の本体側結合部４２を、本体ケース２３の外側からヒンジ収納部２４内に収納して、ヒンジ結合部２５の上結合部６０の支柱部６２の先端部に搭載し、そして、ヒンジ取付ネジ４９を、ヒンジユニット４の本体側結合部４２から、本体側結合部４２のネジ孔４８を通して、上結合部６０の支柱部６２のネジ孔６４と下結合部７０の突出部７２のネジ孔７３に螺合する。これにより、ヒンジユニット４の本体側結合部４２は、ヒンジ収納部２４に収納された状態で、ヒンジ取付ネジ４９により、上結合部６０と下結合部７０の両方に締結されて、ヒンジ結合部２５に結合された状態になる。
【００４５】
また、電気配線５の他端側（ヒンジユニット４の本体側結合部４２の下部から引き出されている側）を、上結合部６０の底台部６１と支柱部６２の先端部との間に形成される空間を通して、ヒンジ収納部２４から制御基板２１に接続する。これにより、電気配線５は、ヒンジユニット４の内部、及び上結合部６０の底台部６１と支柱部６２の先端部との間に通されて、本体ケース２３の外部を経由することなく制御基板２１に接続された状態となる。
【００４６】
続いて、収納部カバー２６を本体ケース２３の上ケース２３ｂに装着する。これにより、ヒンジ収納部２４の開口している部分が塞がれて、ヒンジユニット４の本体側結合部４２、及び本体側結合部４２の下部から引き出されて制御基板２１に接続されている電気配線５が覆われる。最後に、内蓋２７を本体ケース２３の上ケース２３ｂに装着する。これにより、光ディスク再生装置１が完成する。光ディスク再生装置１は、このようにして組み立てられる。
【００４７】
このような構成の光ディスク再生装置１によれば、ヒンジ結合部２５は、上結合部６０（本体ケース２３の上ケース２３ｂの一部）と下結合部７０（本体ケース２３の下ケース２３ａの一部）とが重ね合わされて、上結合部６０と下結合部７０が一体となった（すなわち、本体ケース２３の上ケース２３ｂと下ケース２３ａとが重ね合わされた部分が一体となった）状態で、ヒンジユニット４の本体側結合４２が結合される。従って、上結合部６０と下結合部７０が重ね合わされて一体となっていることにより、ヒンジ結合部２５が厚くなり、また、ヒンジユニット４の本体側結合４２と下結合部７０との間に上結合部６０が介在していることにより、下結合部７０における荷重を受ける部分が広い範囲に分散する。これにより、ヒンジ結合部２５は、大きな荷重に耐えることができ、頑丈なヒンジ結合構造を実現することができる。しかも、金属製の板のような補強部材を別途必要としないので、頑丈なヒンジ結合構造を低価格で実現することができる。
【００４８】
また、本体ケース２３の上ケース２３ｂと下ケース２３ａとを結合した状態で、ヒンジユニット４の本体側結合部４２を本体ケース２３の外側からヒンジ収納部２４に収納してヒンジ結合部２５に結合することができる。従って、光ディスク再生装置１を組み立てるとき、本体ケース２３の上ケース２３ｂと下ケース２３ａとを結合した状態で、すなわち、本体ケース２３内に制御基板２１を収納した状態で、ヒンジユニット４を本体ケース２３に結合することができ、組み立て性を優れたものにすることができる。しかも、ヒンジ収納部２４は、本体ケース２３における周囲の部分より内側に窪んだ部分であり、このようなヒンジ収納部２４に、ヒンジユニット４の本体側結合部４２が収納された状態となるため、光ディスク再生装置１の薄型化を保つことができる。
【００４９】
また、ヒンジユニット４の本体側結合部４２をヒンジ結合部２５に結合した状態では、ヒンジ結合部２５の上結合部６０の底台部６１とヒンジユニット４の本体側結合部４２との間に空間が形成され、この空間は、電気配線５を通すための空間として利用される。従って、電気配線５を通すための空間を確保しつつ、頑丈なヒンジ結合構造を実現することができる。
【００５０】
なお、本発明は、上記実施形態の構成に限られず、種々の変形が可能である。例えば、ヒンジ取付ネジは、ヒンジ結合部の下側から、下結合部の突出部のネジ孔と上結合部の支柱部のネジ孔を通して、ヒンジユニットの本体側結合部のネジ孔に螺合されてもよい。また、ヒンジユニットは、ヒンジ機構部が１軸に回動可能なものであってもよい。また、本発明は、光ディスク再生装置に限られず、表示ユニットがヒンジユニットを介して本体ユニットに取付けられた電子機器装置であれば、どのような電子機器装置にも適用可能である。
【符号の説明】
【００５１】
１    光ディスク再生装置（電子機器装置）
２    本体ユニット
３    表示ユニット
４    ヒンジユニット
５    電気配線
２１    制御基板
２２    光ディスク読取ユニット
２２ａ    スピンドルモータ
２２ｂ    光読取ヘッド
２３    本体ケース
２３ａ    下ケース
２３ｂ    上ケース
２３ｃ    読取開口
２４    ヒンジ収納部
２４ａ    ヒンジ収納部の側壁
２５    ヒンジ結合部
２６    収納部カバー
２７    内蓋
３１    液晶パネル
３２    表示ケース
３２ａ    前ケース
３２ｂ    後ケース
３２ｃ    表示開口
３３    ヒンジカバー
４１    表示側結合部
４２    本体側結合部
４３    ヒンジ機構部
４８    ネジ孔
４９    ヒンジ取付ネジ
６０    上結合部
６１    底台部
６２    支柱部
６３    補強用リブ
６４    ネジ孔
７０    下結合部
７１    重ね台部
７２    突出部
７３    ネジ孔
【図１】
2011221823.tif 000003
【図２】
2011221823.tif 000004
【図３】
2011221823.tif 000005
【図４】
2011221823.tif 000006
【図５】
2011221823.tif 000007